(57)【特許請求の範囲】
【請求項１】
蓋体が開閉自在な箱型のボックスの底板上に間隔をあけて二本の短い基柱を設け、これらの各短い基柱に、継柱の下端をピンにより軸支し、それそれ複数の継柱の一端をピンにより軸支して、最上端の各継柱を水平材でピンにより軸支して接続し、左右両側の一方の側の基柱、継柱及び水平材の接続点が他方の側の基柱、継柱及び水平材の接続点より、上下方向にずれており、各継柱相互の接続は、上記ピンによる軸支点とは別に設けたネジをナットで締め付けて門型の枠体を、上記蓋体をあけたボックス上に組み立て自在に立設し、上記ボックスの蓋体を斜めにした状態で当該枠体にその先端を当接し、この状態で当該蓋体の内側から突出した突腕を枠体の両側の各継柱に設けたネジにナットで係止し、工事を表示したシートを当該枠体の一面に張り、この枠体を折り畳む際は、上記各ナットを緩めてピンによる軸支箇所を回転させることにより当該枠体を折り畳み、上記シートとともに、上記ボックス内に収納でき、上記ボックス、蓋体及び枠体はアルミ材から成ることを特徴とする、工事用表示ボックス盤。
【請求項２】
上記シートは、枠体に着脱自在に取り付けられていることを特徴とする、請求項１記載の工事用表示ボックス盤。
【請求項３】
上記シートは、枠体の水平材にその上端を固定され、下端が枠体の継柱に着脱自在に取り付けられていることを特徴とする、請求項１又は２記載の工事用表示ボックス盤。
【発明の詳細な説明】
【０００１】
【発明の属する技術分野】
この発明は、道路工事や電気工事、ガス工事、水道工事等の工事の際に、施工者や工事期間、工事区域等を表示する工事用表示板に関するものである。
【０００２】
【従来の技術】
この工事用表示板は、図８に示すように、鉄のパイプを扁平にしてアングル状にした２本の主柱（イ）、（イ）を、間隔をあけて設け、これらの主柱（イ）間に適宜の横材（ロ）を渡して四辺形の枠体（ハ）を設け、この枠体（ハ）の裏面に、当該枠体（ハ）を支える支持枠体（ニ）を設け、この支持枠体（ニ）の下端を広げて当該枠体（ハ）を立設し、図９に示す、工事を表示したシート（ホ）の上下の両端を丸棒（ヘ）に係止した当該シート（ホ）の、上下の各丸棒（ヘ）を上記２本の主柱（イ）の上下部に係止して、この枠体（ハ）の表面にシート（ホ）を着脱自在に張っていた。
【０００３】
【発明が解決しようとする課題】
しかしながら、この表示板は、枠体（ハ）とシート（ホ）から構成され、現場でこの枠体（ハ）に、図９のシート（ホ）を取り付けており、運搬時には、シート（ホ）を取り外していたため、シート（ホ）が他物と当たったりして、汚れたり、損傷するおそれがある。また、上記枠体（ハ）は鉄で出来ており、重量が重く、持ち運びに不便であった。また、この枠体（ハ）は、工事を表示するために大きなものとなり、トラックでの運搬や、倉庫での保管の際、場所を取ってしまう欠点があった。また、鉄は錆びるため、この表示板の枠体（ハ）全体をペンキ等で塗装しなければならなかった。しかも、鉄は廃棄が難しい等の欠点を有してる。
【０００４】
そこでこの発明は、持ち運びや保管の際は、コンパクトに畳まれ、かつシートも一緒に畳んでボックスに収納出来、軽量で持ち運びや保管が容易であり、現場での組み立て作業も容易な、工事用表示板を提供することにより、上記課題を解決するものである。
【０００５】
【課題を解決するための手段】
請求項１項の発明は、蓋体が開閉自在な箱型のボックスの底板上に間隔をあけて二本の短い基柱を設け、これらの各短い基柱に、継柱の下端をピンにより軸支し、それそれ複数の継柱の一端をピンにより軸支して、最上端の各継柱を水平材でピンにより軸支して接続し、左右両側の一方の側の基柱、継柱及び水平材の接続点が他方の側の基柱、継柱及び水平材の接続点より、上下方向にずれており、各継柱相互の接続は、上記ピンによる軸支点とは別に設けたネジをナットで締め付けて門型の枠体を、上記蓋体をあけたボックス上に組み立て自在に立設し、上記ボックスの蓋体を斜めにした状態で当該枠体にその先端を当接し、この状態で当該蓋体の内側から突出した突腕を枠体の両側の各継柱に設けたネジにナットで係止し、工事を表示したシートを当該枠体の一面に張り、この枠体を折り畳む際は、上記各ナットを緩めてピンによる軸支箇所を回転させることにより当該枠体を折り畳み、上記シートとともに、上記ボックス内に収納でき、上記ボックス、蓋体及び枠体はアルミ材から成る、工事用表示ボックス盤とした。
【０００６】
また、請求項２項の発明は、上記シートが、枠体に対して着脱自在に取り付けられている、請求項１記載の工事用表示ボックス盤とした。また、請求項３の発明では、請求項１又は２記載の工事用表示板において、シートは、枠体の水平材にその上端が固定され、下端が枠体の継柱に着脱自在に取り付けられている、工事用表示ボックス盤とした。
【０００７】
【発明の実施の形態】
以下この発明の実施の形態例を図に基づいて説明する。
まず、横長の直方体形状のボックス１を用意する。このボックス１は上面が開口し、この開口面を被う蓋体２を、ボックス１の開口面の一側に設けた蝶番により開閉自在に設けている。この蓋体２を開けたボックス１内の底板１ａ上に、間隔をあけて二本の短い基柱３、３を設けている。これらの各短い基柱３は左右で高さが異なり、図２では、左側が高く、右側が低くなっている。これらの各基柱３には、夫々下部継柱４、４の下端をピン５により軸支している。従って、各下部継柱４は、各ピン５を中心に回転自在と成っている。そしてこれらの各下部継柱４の上端には、上部継柱６、６の下端をピン７により軸支しており、これにより各下部継柱４と各上部継柱６とはピン７を中心に回転自在である。
【０００８】
また、これらの各上部継柱６の上端は、水平材８の左右両端の垂下部８ａ、８ｂでピン９により軸支して接続されている。上記水平材８の左右の垂下部８ａ、８ｂは、図２において、左側の垂下部８ａが短く、右側の垂下部８ｂが長い。そして、上記各ピン５、７，９は、その位置が左右でずれており、図２の左側の各ピンの位置が、右側のピンの位置より高くなっている。また、上記上部継柱６と下部継柱４との接続箇所においては、ピン７のすぐ下方から上方まで、下部継柱４の裏面片４ａ及び内側面片４ｂのみが伸びており、各上部継柱６の下端は各下部継柱４の裏面片４ａ及び内側面片４ｂに半分囲まれている。
【０００９】
そして、この裏面片４ａには切り込み１０が設けられ、上部継柱６に設けたネジ１１がこの切り込み１０を通って突出し、このネジ１１に蝶ナット１２が螺着され、ネジ１１に締め付けられている。この蝶ナット１２の裏面片４ａへの締め付けにより、下部継柱４と上部継柱６とは一本の柱を構成して一体となる。また、下部継柱４の上端に伸びた内側面片４ｂに上部継柱６の側部下端があたり、上部継柱６は図２の位置より内側に回転できないようになっている。これにより、これらの基柱３、下部継柱４、上部継柱６及び水平材８により、門型の枠体１３を形成している。
【００１０】
また、上記ボックス１の蓋体２を斜めにした状態で当該枠体１３の両側の下部継柱４に蓋体２の先端を当接し、この状態で当該蓋体２の内側から突出した突腕１４の先端に設けた切り込み１４ａを枠体１３の両側の各下部継柱４の側面に夫々設けたネジ１５に係止し、この突腕１４の上から蝶ナット１６を締め付けることにより、枠体１３の下部がボックス１の蓋体２に固定され、枠体１３ががたつかないことになる。そして、予め上記水平材８に上端を固定した、工事を表示したシート１７の下端を包んで固定した丸棒１８の両端を、各下部継柱４に設けた下向きのフック１９、１９に係止させ、当該シート１７を張る。
なお、上記ボックス１の下面両側には、基盤２０、２０を設けており、これらの間のボックス１の下面中央には、アウトリガー板２１を回転自在に設け、現場において、実際に工事の表示をする場合に、図１に示すように、このアウトリガー板２１をボックス１に直角に張り出し、この装置の安定を維持するものである。なお、これらの部材は、シート１７を除けば、すべてアルミ製であり、塗装しなくても錆びない。また、シート１７は、合成樹脂等、適宜の材質のものでよい。
【００１１】
また、この工事用表示板をしまうには、シート１７の下端の丸棒１８の両端をフック１９、１９から外す。そして、蓋体２の枠体１３の両側の下部継柱４への固定を解く。それには各下部継柱４のネジ１５に螺着してある蝶ナット１６を緩め、ネジ１５から突腕１４を外し、蓋体２を開いた状態にする。また、両側の蝶ナット１２、１２を緩め、図６に示すように、水平材８を手で持って両側の各上部継柱６及び各下部継柱４を、それらの接続部を内側に折って下げていく。その際、上述のように、左右両側の各ピン５、７，９の位置が上下にずれているため、各下部継柱４及び各上部継柱６は折り重なりあい、ボックス１内に収納できる。また、各下部継柱４のピン７の下方箇所に切り込み２２を設けているが、この切り込み２２は、各上部継柱６と各下部継柱４を折り重ねる際、各上部継柱６から突出したネジ１１及び蝶ナット１２がこの切り込み２２に入り、各上部継柱６と各下部継柱４とが折り重なることができるようになっている。
【００１２】
なお、図６は、シート１７を省略して描いているが、このシート１７は、上端が上記水平材８に固定されており、枠体１３の折り畳みの際はシート１７をよけて折り畳み、枠体１３がボックス１に収納された後、上端が上記水平材８に固定されたままシート１７を丸めてボックス１の内部に収納する。その後、蓋体２を閉めて金具を固定すれば、ボックス１に設けたハンドル２３を手で持って、ボックス１をどこにでも持ち運ぶことができる。
【００１３】
また、上記の実施の形態例ではシート１７は、上端を予め上記水平材８に固定しているが、これに限らず、シート１７の上下端を上記水平材８に着脱自在に固定できる構成にし、上記枠体１３の組み立て、折り畳の際はシート１７を枠体１３から外しておき、枠体１３を組み立てた後に枠体１３の水平材８に設けた係止ピンに、予めシート１７の上端に設けた穴を掛け、上記係止ピンを回せば、シート１７の上端は枠体に固定され、シート１７の下端の丸棒１８の両端を枠体１３の各下部継柱４のフック１９に係止する構成としてもよい。
【００１４】
また、上記シート１７の表面には、図１に示すように、電気工事中、道路工事中とかの工事の種類、工事の企業名、工事件名、施工区間、工期、施工者などを、表示するが、これらの内容を予め記載したプレートを用意しておき、当該シートに面ファスナーでこれらのプレートを貼り付けたり、透明なポケット部２４をシート１７に予め設けておき、これらのポケット部にプレートを挿入するようにしてもよい。また、シート１７自体を、光に反射する反射シートとすることもできる。
【００１５】
なお、上記実施の形態例では、枠体１３の両側の継柱は、下部継柱と上部継柱の２本としたが、この継柱の数は２本以上であればよい。また、下部継柱と上部継柱との固定接続構造及び蓋体と枠体との固定構造は、上記の実施の形態例のものに限ることなく適宜の構成でよく、ネジに螺着したナットを締め付けたり緩めたりするものであればよい。
【００１６】
【発明の効果】
請求項１乃至３の発明では、シートを除くすべての部材がアルミ材で出来ているため、軽量で持ち運びや取り扱いが容易である。しかも、持ち運びや保管の際は、表示板を構成する枠体はコンパクトに畳まれ、ボックスの中に収納でき、かつシートも一緒に畳んで収納することができ、持ち運びや保管がきわめて容易である。また、現場での組み立ての際は、ボックスから枠体を引き上げて、ナットを締め付ければ、直ちに組み立てられ、シートを張り付ければよい。従って、何等別部材を用いたり、工具を用いる必要がないので組立作業や、折り畳み収納作業が容易かつ迅速にできる。また、工事を表示するシートも、枠体に上端を取り付けたままボックスに収納でき、また枠体の組み立て、又は折り畳みの際、シートを枠体に着脱自在に取り付ける構成としてもよく。いずれの場合も、当該シートをボックスの中に収納できるので、シートが運搬中に汚れたり、破損したり、紛失したりするおそれがない。また、枠体やボックス及び蓋体が、アルミ材で出来ているため錆びることがなく、これらを塗装する必要がない。しかも、アルミは再生が容易であり、廃棄処理の問題が生ぜず、環境にやさしい部材である。
【図面の簡単な説明】
【図１】この発明の実施の形態例の組み立て後の斜視図である。
【図２】この発明の実施の形態例の、シートを外した組み立て後の断面図である。
【図３】この発明の実施の形態例の組み立て後の背面要図である。
【図４】この発明の実施の形態例の、蓋体を下部継柱に固定しようとしている状態の要部斜視図である。
【図５】この発明の実施の形態例の組み立て後の側面図である。
【図６】この発明の実施の形態例の、枠体を折り畳んでボックス内に収納する途中の状態を示す断面図である。
【図７】この発明の実施の形態例の、枠体を折り畳んでボックス内に収納した状態の斜視図である。
【図８】従来の工事用表示板の斜視図である。
【図９】従来の工事用表示板から取り外したシートの斜視図である。
【符号の説明】
１    ボックス                    ２    蓋体
３    基柱                          ４    下部継柱
５    ピン                        ６    上部継柱
７    ピン                        ８    水平材
８ａ  垂下部                      ８ｂ  垂下部
９    ピン                      １０    切り込み
１１    ネジ                      １２    蝶ナット
１３    枠体                      １４    突腕
１４ａ  切り込み                  １５    ネジ
１６    蝶ナット                  １７    シート
１８    丸棒                      １９    フック
２０    基盤                      ２１    アウトリガー板
２２    切り込み                  ２３    ハンドル
２４    ポケット部
【図１】
0003595289.tif 000002
【図２】
0003595289.tif 000003
【図３】
0003595289.tif 000004
【図４】
0003595289.tif 000005
【図５】
0003595289.tif 000006
【図６】
0003595289.tif 000007
【図７】
0003595289.tif 000008
【図８】
0003595289.tif 000009
【図９】
0003595289.tif 000010